【事件の表示】
　特許第２８０７９８３号「調整枠付き埋設用枠」の特許に対する特許異議の申立てについて、次のとおり決定する。
【結論】
　訂正を認める。
　特許第２８０７９８３号の特許を維持する。
【理由】
Ｉ．手続の経緯
　本件特許第２８０７９８３号に係る出願は、平成７年１２月２９日の出願であって、平成１０年７月３１日に特許の設定登録がなされ、その後、株式会社ダイモンから特許異議の申立がなされ、取消理由通知がなされ、その指定期間内である平成１１年９月４日に訂正請求がなされたものである。
ＩＩ．訂正の要旨
　訂正事項ａ：特許請求の範囲を、特許請求の範囲の減縮を目的として、次のように訂正する。
「【請求項１】薄肉の基枠（５）と、該基枠（５）の外周に段差を有して薄肉の連結部（６）で一体連結された薄肉の突出枠（７）とからなり、該基枠（５）及び突出枠（７）の上面及び／又は下面に小突起（８）を設けてなる調整枠（４）を埋設用枠体（１）の少なくとも上下面の何れか一方に、その段差形状に沿って覆うが如く固着してなることを特徴とする調整枠付き埋設用枠。」
　訂正事項ｂ：明細書の段落【０００７】を、以下のように訂正する。
「【０００７】
　【課題を解決するための手段】
　即ち、本発明が上記課題を解決するために採った手段は、薄肉の基枠５と、該基枠５の外周に段差を有して薄肉の連結部６で一体連結された薄肉の突出枠７とからなり、該基枠５及び突出枠７の上面及び／又は下面に小突起８を設けてなる調整枠４を埋設用枠体１の少なくとも上下面の何れか一方に、その段差形状に沿って覆うが如く固着してなる点にある。」
　訂正事項ｃ：明細書の段落【０００８】を、以下のように訂正する。
「【０００８】
　【作用】
　而して、上記構成を特徴とする調整枠付き埋設用枠Ａにおいては、たとえ埋設用枠体１の端面が凹凸を有する粗面であっても、かかる粗面に調整枠４を固着することにより、その平面度を確保することが可能となり、埋設用枠相互間にガタツキを生じせしめることなく、一定高さを保持して安定した状態で段積みすることができる。
　また、調整枠４の基枠５及び突出枠７の上面及び／又は下面に小突起８を設けると、特に調整枠４の素材が合成樹脂、ゴム等の弾性体の場合、埋設用枠体１の上下面の仕上げ状態が悪く、凹凸が激しい場合においても、該小突起８が埋設用枠体１との馴染みを良くしパッキング機能を果たして埋設用枠体１との密着状態を確保することができる。」
　訂正事項ｄ：明細書の段落【００１６】を、以下のように訂正する。
「【００１６】
　又、調整枠４の基枠５及び突出枠７の下面には図４に示すように、小突起８を周方向に形成する。この場合調整枠４の素材は合成樹脂、ゴム等の弾性体からなるため、特に埋設用枠体１の上下面の仕上げ状態が悪く凹凸１１が激しい場合においても小突起８が馴染みを良くしパッキング機能を奏して埋設用枠体１との密着状態を確保するのである。」
　訂正事項ｅ：明細書の段落【００２２】を、以下のように訂正する。
「【００２２】
　他方、固着すべき調整枠の厚みを適宜調節することにより、埋設用枠体自体の高さを微調節することが可能であり、これにより埋設用枠体に多少の寸法誤差等があっても段積み作業に支障を与えないという特有の効果もある。
　更に、調整枠を合成樹脂、ゴム等の弾性体により形成し、且つ小突起を設けてなるため、埋設用枠体の上下面の仕上げ状態が悪くとも小突起が馴染みを良くしパッキング機能を果たして埋設用枠体相互間を密着状態で接合できるという効果を奏する。」
ＩＩＩ．訂正の適否
　１．訂正の目的の適否、新規事項の有無及び拡張・変更の存否
　上記訂正事項ａに係る訂正は、特許請求の範囲の減縮を目的とするものであり、しかもその訂正は、願書に添付した明細書又は図面に記載した事項の範囲内のものであり、さらに、実質上特許請求の範囲を拡張し、又は変更するものではない。
　また、訂正事項ｂ乃至ｅに係る訂正は、訂正事項ａに関連してなされた明瞭でない記載の釈明に該当し、願書に添付した明細書又は図面に記載した事項の範囲内のものであり、実質上特許請求の範囲を拡張し、又は変更するものではない。
　２．独立特許要件の判断
　訂正明細書の請求項１に係る発明は、訂正明細書の特許請求の範囲の請求項１に記載されたとおりのものであり（以下、「訂正後発明」という。）、これに対して、当合議体において、平成１１年６月１６日に職権で甲第２号証を原本と照合し、契、割り印および役職印等を確認し、その結果、甲第２号証において、根上町水道事業管理者でありかつ、根上町長である大窪昭二が、甲第２号証の別紙図面のウレタン樹脂製埋設枠の高さ調整用介装体ＢＫ１を平成４年１月２７日に７個、株式会社ダイモンより購入したことを証明したことを確認し、それにより、本件特許出願前に甲第２号証の図面に記載されたウレタン樹脂製埋設枠の高さ調整用介装体ＢＫ１が公然と実施されたという事実を認め、当審が先に通知した取消理由で引用した、異議申立人株式会社ダイモン提出の甲第２号証の証明書の図面に記載された発明には、甲第２号証の証明書の図面に記載された発明の「上方の枠体」、「下方の枠体」「桝」及び「嵩上げ枠」が各々、訂正後発明の「基枠」、「突出枠」、「埋設用枠体」及び「調整枠」に相当するから、両者は、基枠と該基枠の外周に段差を有して薄肉の連結部で一体連結された突出枠とからなる調整枠を埋設用枠体に固着してなる調整枠付き埋設用枠体の点で一致し、甲第２号証の証明書の図面に記載された発明においては、訂正発明における下記の構成が記載されていない点で相違している。
ａ．基枠及び突出枠が薄肉である点。
ｂ．調整枠を埋設用枠体の少なくとも上下面の何れか一方に、その段差形状に沿って覆うが如く固着してなる点。
ｃ．基枠及び突出枠の上面及び／又は下面に小突起を設けてなる点。
　そこで、甲第２号証の図面をみると明記はされていないが、図において両枠体の高さは略同一に描かれており、上方の枠も下方の枠も薄肉であると認められ、また、嵩上げ枠として用いるためには、埋設用枠体の少なくとも上下面の何れか一方に、その段差形状に沿って覆うが如く固着されることは当然のことであり、埋設用枠体に固着しておくか否かは設計的事項にすぎない。しかしながら、基枠及び突出枠の上面及び／又は下面に小突起をを設けるという事項については何ら記載されておらず、又、示唆するところもない。そして、訂正後発明は、当該事項によって明細書記載の作用効果を奏するものであり、訂正後発明が上記甲第２号証の証明書の図面に記載された発明に基いて当業者が容易に発明をすることができたものとはいえない。
　また、他に特許を受けることができないとする理由も発見できない。
　したがって、訂正後発明は、特許出願の際、独立して特許を受けることができるものである。
　３．訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項及び第３項でさらに準用する特許法第１２６条第２〜４項の規定に適合するので、当該訂正を認める。
ＩＶ．異議の申立てについての判断
　１．申立ての理由の概要
　申立人株式会社ダイモンは、証拠として提出した甲第１号証のカタログ及び甲第２号証の証明書に示すものと同一であり、あるいは甲第１号証のカタログ及び甲第２号証の証明書に基づいて当業者が容易に発明をすることができたものであるから、特許法第２９条第１項あるいは第２項の規定により特許を受けることができないものであるから、本件の特許を取り消すべきであると主張している。
　２．判断
　上記申立人が提出した甲第２号証の証明書に関しては、取消理由に引用しており、また、甲第１号証のカタログにも、本件訂正後発明を構成する事項である、基枠及び突出枠の上面及び／又は下面に小突起を設けるという事項については何ら記載されておらず、又、示唆するところもないから、甲第１号証のカタログの公知性の立証のための証人尋問をするまでもなく、前記ＩＩＩ．２．独立特許要件の判断で示したように、訂正後発明は、甲第１及び２号証に記載された発明と同一であるとも、これらから当業者が容易に発明をすることができたものであるともいえない。
Ｖ．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１１年１０月２６日（１９９９．１０．２６）
【訂正の要旨】
訂正の要旨
　訂正事項ａ：特許請求の範囲を、特許請求の範囲の減縮を目的として、次のように訂正する。
「【請求項１】薄肉の基枠（５）と、該基枠（５）の外周に段差を有して薄肉の連結部（６）で一体連結された薄肉の突出枠（７）とからなり、該基枠（５）及び突出枠（７）の上面及び／又は下面に小突起（８）を設けてなる調整枠（４）を埋設用枠体（１）の少なくとも上下面の何れか一方に、その段差形状に沿って覆うが如く固着してなることを特徴とする調整枠付き埋設用枠。」
　訂正事項ｂ：明細書の段落【０００７】を、以下のように訂正する。
「【０００７】
　【課題を解決するための手段】
　即ち、本発明が上記課題を解決するために採った手段は、薄肉の基枠５と、該基枠５の外周に段差を有して薄肉の連結部６で一体連結された薄肉の突出枠７とからなり、該基枠５及び突出枠７の上面及び／又は下面に小突起８を設けてなる調整枠４を埋設用枠体１の少なくとも上下面の何れか一方に、その段差形状に沿って覆うが如く固着してなる点にある。」
　訂正事項ｃ：明細書の段落【０００８】を、以下のように訂正する。
「【０００８】
　【作用】
　而して、上記構成を特徴とする調整枠付き埋設用枠Ａにおいては、たとえ埋設用枠体１の端面が凹凸を有する粗面であっても、かかる粗面に調整枠４を固着することにより、その平面度を確保することが可能となり、埋設用枠相互間にガタツキを生じせしめることなく、一定高さを保持して安定した状態で段積みすることができる。
　また、調整枠４の基枠５及び突出枠７の上面及び／又は下面に小突起８を設けると、特に調整枠４の素材が合成樹脂、ゴム等の弾性体の場合、埋設用枠体１の上下面の仕上げ状態が悪く、凹凸が激しい場合においても、該小突起８が埋設用枠体１との馴染みを良くしパッキング機能を果たして埋設用枠体１との密着状態を確保することができる。」
　訂正事項ｄ：明細書の段落【００１６】を、以下のように訂正する。
「【００１６】
　又、調整枠４の基枠５及び突出枠７の下面には図４に示すように、小突起８を周方向に形成する。この場合調整枠４の素材は合成樹脂、ゴム等の弾性体からなるため、特に埋設用枠体１の上下面の仕上げ状態が悪く凹凸１１が激しい場合においても小突起８が馴染みを良くしパッキング機能を奏して埋設用枠体１との密着状態を確保するのである。」
　訂正事項ｅ：明細書の段落【００２２】を、以下のように訂正する。
「【００２２】
　他方、固着すべき調整枠の厚みを適宜調節することにより、埋設用枠体自体の高さを微調節することが可能であり、これにより埋設用枠体に多少の寸法誤差等があっても段積み作業に支障を与えないという特有の効果もある。
　更に、調整枠を合成樹脂、ゴム等の弾性体により形成し、且つ小突起を設けてなるため、埋設用枠体の上下面の仕上げ状態が悪くとも小突起が馴染みを良くしパッキング機能を果たして埋設用枠体相互間を密着状態で接合できるという効果を奏する。」
（５４）【発明の名称】
調整枠付き埋設用枠
（５７）【特許請求の範囲】
　【請求項１】　薄肉の基枠（５）と、該基枠（５）の外周に段差を有して薄肉の連結部（６）で一体連結された薄肉の突出枠（７）とからな
り、該基枠（５）及び突出枠（７）の上面及び／又は下面に小突起（８）を設けてな
【発明の詳細な説明】
　　【０００１】
　【発明の属する技術分野】
　本発明は、例えば消火栓ボックス、制水弁ボックス、マンホール等を形成すべく地中に多段に積み重ねて使用される埋設用枠の改良に関する。
　　【０００２】
　【従来の技術】
　従来、この種埋設枠はコンクリートにより所定形状に成形されるのが一般的である。
　　【０００３】
　【発明が解決しようとする課題】
　しかしながら、かかるコンクリート製の埋設用枠Ｂは、図６に示すように通常コンクリート投入面１０ａをコテにて仕上げを行うが、その仕上がり精度が悪い上に、コンクリート中の気泡の影響によりその端面が多数の凹凸１１ａを有する粗面となり易い。従って、このような端面の仕上がり精度が悪い埋設用枠Ｂが多段に積み重ねられた場合、該埋設用枠Ｂの相互間の接合部にガタツキが生じてしまい安定性に著しく欠けるとともに、上部からの荷重によって接合部が破損するという大なる問題点があった。
　　【０００４】
　また、埋設用枠Ｂに寸法誤差等があるような場合、段積み施工時に高さ調節を行う必要があるが、従来においては埋設用枠Ｂ間の接合部にモルタル等を間詰めする手段が採用されている。
　　【０００５】
　しかるに、このような調節手段は高度の技術と手間を要するものであるため、現場における作業を煩雑化せしめるばかりではなく、埋設用枠Ｂが重量物であるため高さの微調節を行うことは非常に困難であるという問題点があった。
　　【０００６】
　それ故に、本発明は上記従来の問題点を解決するためになされたものであり、凹凸を有する粗面を均整又は吸収してガタツキを生じせしめることなく安定した状態で複数の埋設用枠体を段積みでき、しかも高さ調節を均一且つ簡易に行えるようにすることを課題とする。
　　【０００７】
　【課題を解決するための手段】
　即ち、本発明が上記課題を解決するために採った手段は、薄肉の基枠５と、該基枠５の外周に段差を有して薄肉の連結部６で一体連結された薄肉の突出枠７とからな
り、該基枠５及び突出枠７の上面及び／又は下面に小突起８を設けてな
　　【０００８】
　【作用】
　而して、上記構成を特徴とする調整枠付き埋設用枠Ａにおいては、たとえ埋設用枠体１の端面が凹凸を有する粗面であっても、かかる粗面に調整枠４を固着することにより、その平面度を確保することが可能となり、埋設用枠相互間にガタツキを生じせしめることなく、一定高さを保持して安定した状態で段積みすることができる。
　
また、調整枠４の基枠５及び突出枠７の上面及び／又は下面に小突起８を設けると、特に調整枠４の素材が合成樹脂、ゴム等の弾性体の場合、埋設用枠体１の上下面の仕上げ状態が悪く、凹凸が激しい場合においても、該小突起８が埋設用枠体１との馴染みを良くしパッキング機能を果たして埋設用枠体１との密着状態を確保することができる。
　　【０００９】
　【本発明の実施の形態】
　以下、本発明の一実施形態について図面に従って説明する。
　　【００１０】
　図１において、１は上下外周面に鍔２がそれぞれ突設成形された略円筒状のコンクリート製の埋設用枠体を示し、その下面内周には環状の凹部３が形成されている。
　　【００１１】
　４は埋設用枠体１の下面に、その段差形状に沿って全面を覆うが如く接着剤等によって固着された調整枠で、該調整枠４は図１（ロ）及び図２に示すように環状の基枠５と、該基枠５の外周に段差を有して連結部６で一体連結された環状の突出枠７とからなり、該実施形態では基枠５及び突出枠７の肉厚は略３ｍｍに形成され、且つ連結部６はこれよりも薄肉に形成されている。尚、調整枠４は金属、合成樹脂、ゴム等の素材で形成される。
　　【００１２】
　本実施形態は以上のような構成からなり、かかる調整枠付き埋設用枠体Ａは、例えば図３の如くスラブ９上に載置された他の埋設用枠体１の上段に多段に段積みして使用される。
　　【００１３】
　この場合において、段積みした際に相互に当接して接合する埋設用枠体１の下面にはそれぞれ調整枠４を固着してなるため、たとえ埋設用枠体１の下面が凹凸１１を有する粗面に成形されていても、調整枠４によって下面全面の平面度が均一に確保されることとなり、よって調整枠付き埋設用枠体Ａにガタツキを生じせしめることなく一定高さを保持して安定した状態で多数の埋設用枠体１を段積みすることができる。
　　【００１４】
　又、埋設用枠体１に寸法誤差等があるような場合は、例えば該調整枠４の厚みを適宜調節することにより、調整枠付き埋設用枠体Ａ自体の高さを調節することが可能であり、特に前記調整枠４は薄肉状に肉厚が設定されてなるため、微調節の便に供し得る利点がある。
　　【００１５】
　尚、上記実施形態においては、埋設用枠体１の下面に調整枠４を固着したが、上面に固着しても構わず、埋設用枠体１の上面及び下面の状態に応じて固着すればよい。
　　【００１６】
　又、調整枠４の基枠５及び突出枠７の下面には図４に示すように、小突起８を周方向に形成
する。
　　【００１７】
　尚、上記小突起８は、その下面において周方向に設けられてなるが、該小突起８は調整枠４の上面若しくは上下面に設けてもよく、又径方向に設けてもよいもので、小突起８の形態は任意に設計変更可能である。
　　【００１８】
　又、埋設用枠体１の形状は上記各実施形態の如き略円筒状に限定されるものではなく、例えば方形、多角形或いは角筒状に形成してもよく、この場合は図５のように調整枠４の形状も変化する。要は、調整枠４の形状は固着される埋設用枠体１の形状に対応して形成されればよいものである。
　　【００１９】
　更に、調整枠４の基枠５及び突出枠７の肉厚は適宜変更可能であり、又、連結部６の具体的な形状や肉厚も埋設用枠体の段差形状に沿って薄肉状に形成されればよい。
　　【００２０】
　その他、埋設用枠体１と調整枠４との固着手段等も本発明の意図する範囲内において任意に設計変更自在である。
　　【００２１】
　【発明の効果】
　叙上のように、本発明は段積みした際に相互に当接して接合する埋設用枠体の少なくとも上下面の何れか一方に、その段差形状に沿って覆うが如く調整枠を固着してなるために、例えかかる上下面が凹凸を有する粗面に形成されていても、調整枠により接合部全面の平面度が均一に確保されるので、埋設用枠体相互間にガタツキを生じせしめることなく、一定高さを保持して安定した状態で段積みすることができるという格別の効果を得るに至った。
　　【００２２】
　他方、固着すべき調整枠の厚みを適宜調節することにより、埋設用枠体自体の高さを微調節することが可能であり、これにより埋設用枠体に多少の寸法誤差等があっても段積み作業に支障を与えないという特有の効果もある。
　
更に、調整枠を合成樹脂、ゴム等の弾性体により形成し、且つ小突起を設けてなるため、埋設用枠体の上下面の仕上げ状態が悪くとも小突起が馴染みを良くしパッキング機能を果たして埋設用枠体相互間を密着状態で接合できるという効果を奏する。
【図面の簡単な説明】
　　【図１】
　本発明の一実施形態を示し、（イ）の左半部は埋設用枠体の正面図、右半部は断面図、（ロ）は要部拡大断面図。
　　【図２】
　調整枠の一実施形態を示し、（イ）の左半部は正面図、右半部は断面図、（ロ）の左半部は平面図、右半部は底面図。
　　【図３】
　使用状態を示し、左半部は正面図、右半部は断面図。
　　【図４】
　他の実施形態を示し、（イ）の左半部は正面図、右半部は断面図、（ロ）の左半部は平面図、右半部は底面図、（ハ）は要部拡大断面図。
　　【図５】
　他の実施形態を示し、（イ）の左半部は平面図、右半部は底面図、（ロ）は要部拡大断面図。
　　【図６】
　従来例を示す埋設用枠体の要部断面図。
　【符号の説明】
　１…埋設用枠体
　４…調整枠
　５…基枠
　６…連結部
　７…突出枠
　８…小突起
　Ａ…調整枠付き埋設用枠体